(57)【要約】【課題】複数の機能を有する機器を簡単に操作できるようにする。【解決手段】リモコン装置２のリモコン装置本体２１に、センサ基板２１３と、このセンサ基板２１３の面に沿ってスライド可能に支持された平台座２３１と、平台座２３１に立設された操作突起２３とを有する位置入力操作部２２を設けるとともに、センサ基板２１３に対する操作突起２３の位置を検出する位置検出回路を設けた。【選択図】図３
2007200188.tif 000002
【特許請求の範囲】
【請求項１】
検出面を有するセンス部と、このセンス部の検出面に沿って移動可能に支持された操作子と、前記検出面に対する前記操作子の位置を検出する位置検出手段と、
を備えたことを特徴とする位置入力装置。
【請求項２】
前記操作子は、前記検出面に重ねて配設される平板部と、この平板部に立設された操作突起部とから構成されることを特徴とする請求項１記載の位置入力装置。
【請求項３】
前記操作突起部の上面が曲面で構成されたことを特徴とする請求項２記載の位置入力装置。
【請求項４】
前記平板部と前記検出面との間に、前記平板部を前記検出面に対して移動させる際に所定の摩擦を生じる摩擦層を介設したことを特徴とする請求項２または３記載の位置入力装置。
【請求項５】
前記平板部と前記検出面との間に、前記平板部を支持しつつ前記平板部の移動時に転動する転動支持部を設けたことを特徴とする請求項２または３記載の位置入力装置。
【請求項６】
前記操作子を、前記検出面に沿って所定方向および当該所定方向に直交する方向にスライド可能に支持する支持機構を設けたことを特徴とする請求項１記載の位置入力装置。
【請求項７】
前記センス部と前記操作子との各々にコイルを内蔵させ、
前記位置検出手段は、前記センス部と前記操作子との各々が内蔵するコイルの間に生じる電磁的結合に基づいて、前記操作子の位置を検出すること、
を特徴とする請求項１から６のいずれかに記載の位置入力装置。
【請求項８】
前記センス部が有するコイルは、前記センス部の検出面に沿って輪をなす複数のループコイルであることを特徴とする請求項７記載の位置入力装置。
【請求項９】
前記位置検出手段は、前記センス部と前記操作子との間における静電結合状態に基づいて、前記検出面に対する前記操作子の位置を検出するものであることを特徴とする請求項１から６のいずれかに記載の位置入力装置。
【請求項１０】
前記位置検出手段は、前記操作子から前記検出面に対して加わる押圧力を検出することにより、前記検出面に対する前記操作子の位置を検出するものであることを特徴とする請求項１から６のいずれかに記載の位置入力装置。
【請求項１１】
請求項１から１０のいずれかに記載の位置入力装置と、
前記位置入力装置により検出された前記操作子の位置を示す信号を無線送信する無線送信手段と、
を備えたことを特徴とするリモコン装置。
【請求項１２】
中空部を有する本体を有し、この本体の一面には前記中空部に連通する穴が設けられ、
前記位置入力装置のセンス部が前記中空部に収容され、かつ、前記位置入力装置の操作子の少なくとも一部が前記中空部に連通する穴から露出することを特徴とする請求項１１記載のリモコン装置。
【請求項１３】
請求項１１または１２記載のリモコン装置と、
表示画面に画像を表示する表示手段と、前記リモコン装置が備える無線送信手段により送信された信号を受信する受信手段と、前記受信手段により受信された信号に基づいて前記表示画面における表示を変化させる制御手段と、を備えたコンピュータと、
を備えて構成されることを特徴とするコンピュータシステム。
【請求項１４】
請求項１から１０のいずれかに記載の位置入力装置と、表示画面とを備え、前記位置入力装置により検出された位置に基づいて前記表示画面における表示を変化させること、
を特徴とする電子機器。
【発明の詳細な説明】
【技術分野】
【０００１】
本発明は、位置入力操作を行うための位置入力装置、この位置入力装置を備えたリモコン装置、コンピュータシステム、および、電子機器に関する。
【背景技術】
【０００２】
従来、多くの家庭用電気製品において、遠隔操作装置（いわゆるリモコン装置）が利用されている（例えば、特許文献１参照。）。従来のリモコン装置の多くは、操作対象の機器が備える機能に対応して多数のキーを備えている。
【特許文献１】特開平０５−０５６４８４号公報（図２）
【発明の開示】
【発明が解決しようとする課題】
【０００３】
近年、ＤＶＤレコーダー等の家庭用電気製品において多機能化が進んでおり、リモコン装置に搭載されるキーの数が著しく増え、操作が極めて煩雑になっている。この問題を解消するため、家庭用電気製品の中には、階層構造のメニューを利用して簡単に操作できるようにしたものがある。しかしながら、メニューの選択操作をリモコン装置に搭載されたキーで行わなければならず、操作性のさらなる向上が求められていた。
【０００４】
本発明は、上述した事情に鑑みてなされたものであり、複数の機能を有する機器を簡単に操作できるようにすることを目的としている。
【課題を解決するための手段】
【０００５】
上記課題を解決するため、本発明は、検出面を有するセンス部と、このセンス部の検出面に沿って移動可能に支持された操作子と、前記検出面に対する前記操作子の位置を検出する位置検出手段とを備えたことを特徴としている。
この構成によれば、操作子を移動させる操作を行った場合に、この操作に対応してセンス部の検出面に対する操作子の位置が検出されるので、ユーザは、検出面に沿って操作子を任意の位置に移動させるだけで位置入力を行える。また、操作子が検出面に沿って移動可能に支持されているので、ユーザは、操作子を検出面に沿って移動させるだけでよく、操作子と検出面との距離を適切に保持する必要がない。このため、非常に手軽に位置入力を行うことができる。従って、この位置入力装置を、電子機器やコンピュータの操作デバイスとして用いた場合には、これら電子機器やコンピュータに対する位置入力操作を手軽に行うことができ、操作性を大幅に向上させることができる。また、位置検出手段が検出面に対する操作子の位置を検出するので、操作子の移動量が小さくても十分に操作が可能である。このため、シンプルな構造と相まって、小型化が容易であるという利点がある。
【０００６】
本発明において、前記操作子は、前記検出面に重ねて配設される平板部と、この平板部に立設された操作突起部とから構成されるものとしてもよい。この場合、ユーザは操作突起部を移動させる操作を行えばよく、より手軽に位置入力操作を行える。
また、本発明において、前記操作突起部の上面が曲面で構成されたものとしてもよい。この場合、例えばユーザが指で操作突起部を移動させる場合に、操作感の向上を図ることができる。
【０００７】
さらに、本発明において、前記平板部と前記検出面との間に、前記平板部を前記検出面に対して移動させる際に所定の摩擦を生じる摩擦層を介設した構成としてもよい。この構成によれば、平板部を移動させる操作を行う場合に適度な抵抗が生じるので、操作の安定感が増すという効果が得られる。
また、本発明において、前記平板部と前記検出面との間に、前記平板部を支持しつつ前記平板部の移動時に転動する転動支持部を設けた構成としてもよい。この場合、平板部を移動させる際の抵抗が著しく軽減されるので、操作時のユーザの負荷が大幅に軽減されるという効果が得られる。
【０００８】
また、本発明において、前記操作子を、前記検出面に沿って所定方向および当該所定方向に直交する方向にスライド可能に支持する支持機構を設けた構成としてもよい。この場合、支持機構により支持された操作子を任意の位置に移動させる操作を行うだけで、極めて容易に位置入力操作を行える。
【０００９】
本発明において、前記センス部と前記操作子との各々にコイルを内蔵させ、前記位置検出手段は、前記センス部と前記操作子との各々が内蔵するコイルの間に生じる電磁的結合に基づいて、前記操作子の位置を検出する構成としてもよい。この構成によれば、センス部の検出面に対する操作子の位置を、確実かつ速やかに検出することができる。
ここで、前記センス部が有するコイルは、前記センス部の検出面に沿って輪をなす複数のループコイルとしてもよい。この場合、センス部の検出面の構成を薄型化することが容易になる上、操作子の位置を確実かつ正確に検出できる。
【００１０】
また、本発明において、前記位置検出手段は、前記センス部と前記操作子との間における静電結合状態に基づいて、前記操作面に対する前記操作子の位置を検出するものとしてもよい。あるいは、前記位置検出手段は、前記操作子から前記操作面に対して加わる押圧力を検出することにより、前記前記操作面に対する前記操作子の位置を検出するものとしてもよい。
【００１１】
また、上記目的を達成するために、本発明は、上記の位置入力装置と、前記位置入力装置により検出された前記操作子の位置を示す信号を無線送信する無線送信手段と、を備えたことを特徴とするリモコン装置を提供する。
この構成によれば、位置入力装置により検出された位置を示す信号が無線送信されるので、このリモコン装置により操作される対象の機器に対し、手軽に位置入力操作を行うことができるという利点がある。
ここで、本発明のリモコン装置は、中空部を有する本体を有し、この本体の一面には前記中空部に連通する穴が設けられ、前記位置入力装置のセンス部が前記中空部に収容され、かつ、前記位置入力装置の操作子の少なくとも一部が前記中空部に連通する穴から露出する構成としてもよい。
【００１２】
また、上記目的を達成するため、本発明は、上記のリモコン装置と、表示画面に画像を表示する表示手段と、前記リモコン装置が備える無線送信手段により送信された信号を受信する受信手段と、前記受信手段により受信された信号に基づいて前記表示画面における表示を変化させる制御手段と、を備えたコンピュータと、を備えて構成されることを特徴とするコンピュータシステムを提供する。
【００１３】
また、上記目的を達成するため、本発明は、上記の位置入力装置と、表示画面とを備え、前記位置入力装置により検出された位置に基づいて前記表示画面における表示を変化させること、を特徴とする電子機器を提供する。
【発明の効果】
【００１４】
本発明によれば、操作子を任意の位置にスライドさせるだけで位置入力を行うことが可能となり、手軽に位置入力操作を行える。これにより、例えばメニュー画面やＧＵＩ（Graphical User Interface）を駆使した操作を手軽に、素早く行うことができるので、複雑な機能を有する機器を簡単に操作できる。
【発明を実施するための最良の形態】
【００１５】
［第１の実施の形態］
図１は、本発明を適用した第１の実施の形態に係るコンピュータシステム１の概略構成を示す図である。
この図１に示すコンピュータシステム１は、リモコン装置２、テレビ受像器３、およびコンピュータ本体４を備えて構成される。リモコン装置２は、コンピュータ本体４に対する指示入力操作を行うためのリモコン装置であり、図中符号Ａで示したようにユーザの手に持って操作され、操作内容を示す信号をコンピュータ本体４へ無線送信する。
【００１６】
コンピュータ本体４は、後述するように、リモコン装置２から無線送信される信号を受信して、各種プログラムを実行するコンピュータである。このコンピュータ本体４は、実行したプログラムやリモコン装置２から受信した指示に係る各種画面を表示するための表示信号を生成して、テレビ受像器３に出力する。
テレビ受像器３は、コンピュータ本体４から入力される表示信号に基づいて、表示画面３５に各種画面を表示する。例えば、テレビ受像器３の表示画面３５には、リモコン装置２における位置入力操作に応じて表示画面３５の画面上を移動するポインタ３０Ａが表示される。また、テレビ受像器３は、アンテナに接続されたチューナー部３６（図５）を内蔵しており、地上波アナログ方法、地上波デジタル放送、衛星デジタル放送等の各種放送波を受信して、選局されたチャンネルの画像および音声を出力する機能を有する。
なお、リモコン装置２の操作によって、テレビ受像器３を直接操作することも可能であるが、本第１の実施の形態では、リモコン装置２によってコンピュータ本体４を操作する場合を例に挙げて説明する。
【００１７】
図２は、リモコン装置２の構成を示す外観斜視図である。
この図２に示すように、リモコン装置２は、リモコン装置本体２１の上面に、位置入力操作部２２（位置入力装置）、キースイッチ部２４、電源スイッチ２５、およびＬＥＤ（Light Emitting Diode）２６の各部が配設された構成を有する。
位置入力操作部２２は、リモコン装置本体２１の上面のほぼ中央に位置し、操作突起２３を有する。操作突起２３は、例えば、図１に符号Ａで示したようにユーザの手に持たれた場合に、ユーザの親指により操作される。
位置入力操作部２２において、リモコン装置本体２１の上面には略矩形の穴が設けられ、この穴から、操作突起２３が突出している。操作突起２３は、この略矩形の穴の内側において、平面的に移動させることが可能である。
キースイッチ部２４は１または複数のスイッチを備える。電源スイッチ２５は、リモコン装置２によって操作される対象の機器に対し、電源のＯＮ／ＯＦＦを指示するためのスイッチである。また、ＬＥＤ２６は、リモコン装置２の動作状態を示すインジケータとして機能し、例えば、リモコン装置２の動作中に点灯し、一定時間リモコン装置２が操作されないと消灯する。
【００１８】
図３は、位置入力操作部２２の構成を詳細に示す要部断面図である。なお、操作突起２３の断面は図４に詳細に示すこととし、この図３における図示を省略する。
この図３に示すように、位置入力操作部２２は、リモコン装置本体２１の外装を構成する表面板２１１と裏板２１２との間に埋設されたセンサ基板２１３（センス部）と、センサ基板２１３の上方に配設された平台座２３１（平板部）と、この平台座２３１に立設された操作突起２３（操作突起部）とから構成される。
【００１９】
センサ基板２１３は、後述するループコイル群２４１、２４２（図６）が設けられた基板であり、裏板２１２に固定される。
平台座２３１は、センサ基板２１３と、表面板２１１の裏面との間に挟まれるように配設される。平台座２３１のサイズは、リモコン装置本体２１の上面に設けられた上記略矩形の穴より大きく、かつ、センサ基板２１３より小さい。このため、平台座２３１は、センサ基板２１３の面に沿って任意の方向に移動させることが可能であり、かつ、リモコン装置本体２１の上面に設けられた略矩形の穴から脱落しない。
そして、平台座２３１は、表面板２１１とセンサ基板２１３との間に形成される空間において、センサ基板２１３に平行な面上において、水平方向に任意に移動可能に構成される。ここで、平台座２３１とセンサ基板２１３とが接触する面、および、平台座２３１と表面板２１１の裏面とが接触する面においては、摩擦材２１４（摩擦層）が貼り付けられる。摩擦材２１４は、所定の摩擦係数を有する材料により構成されたシートまたは板状部材である。平台座２３１が水平方向に移動する際には、摩擦材２１４により適度な摩擦が生じるので、操作突起２３を移動させる操作時の安定感が増す効果がある。
ここで、センサ基板２１３および平台座２３１の平面的形状については任意であり、円形、楕円形、矩形等のいずれの形状であってもよい。
【００２０】
操作突起２３は、平台座２３１に立設される略円柱状の軸部２３２と、この軸部２３２の上面を覆うように配設される接触面２３３とを備える。接触面２３３は上方に凸となる曲面として形成され、この接触面２３３には、例えば図１に符号Ａで示したように、ユーザの親指が接触する。
【００２１】
図４は、操作突起２３のより詳細な構成を示す要部断面図であり、特に、軸部２３２および接触面２３３の断面を示す。
図４に示すように、操作突起２３の軸部２３２には空間が設けられ、この空間に、下から順にタクトスイッチ２４０およびフェライトコア２３６が積み重ねて収容される。また、フェライトコア２３６の上端はスペーサ２３９を介して、当該空間の上端に接している。
【００２２】
タクトスイッチ２４０は、所定の押圧力に屈して変形するとともにＯＮとなり、押圧力が除かれると復帰するスイッチである。タクトスイッチ２４０は、スペーサ２３９およびフェライトコア２３６を介して、軸部２３２内の空間の上面と底面に挟まれている。このため、接触面２３３が押圧されると、このタクトスイッチ２４０に押圧力が加わってＯＮとなる。このとき、タクトスイッチ２４０はクリック動作しつつ屈するので、接触面２３３を操作したユーザの手には、クリック感が感じられる。
ここで、軸部２３２を構成する材料が、所定の押圧力により屈曲する程度の弾性を有するものであれば、操作突起２３を押圧することで確実にタクトスイッチ２４０がＯＮとなるので、好ましい。
【００２３】
また、略円柱形状のフェライトコア２３６の周囲にはコイル２３５が巻回され、このコイル２３５には、コンデンサ２３７（図６）が並列接続され、さらにＩＣ２３８（図６）に接続される。このコンデンサ２３７およびＩＣ２３８は、例えば、軸部２３２内の空間に配設された基板（図示略）に実装されている。これらコイル２３５、コンデンサ２３７およびＩＣ２３８により、操作側回路２３４が構成される。
【００２４】
この図４に示すように、操作突起２３には操作側回路２３４が内蔵されている。この操作側回路２３４は、センサ基板２１３（図３）に設けられたループコイル群２４１、２４２との間で、後述するように電磁誘導作用を生じる。そして、この電磁誘導作用に基づいて、センサ基板２１３における操作側回路２３４の位置が検出される。すなわち、位置入力操作部２２においては、センサ基板２１３に対する操作突起２３の位置を検出することができる。
【００２５】
そして、操作突起２３は、図２に示したように表面板２１１に設けられた略矩形の穴の内側に立設されており、この穴の内側において、操作突起２３は平台座２３１とともにスライド可能である。従って、リモコン装置２を操作するユーザは、操作突起２３を任意の位置にスライドさせることにより、位置入力操作を行うことができる。
【００２６】
図５は、コンピュータシステム１を構成するリモコン装置２、テレビ受像器３、およびコンピュータ本体４の機能的構成を示すブロック図である。
この図５に示すように、リモコン装置２は、キースイッチ部２４のスイッチの操作を検出するキー操作検出部２０２、および、位置入力操作部２２における位置入力操作を検出する位置検出回路２０（位置検出手段）、これらキー操作検出部２０２および位置検出回路２０により検出された操作に対応する操作信号を生成して符号化し、符号化した信号を発光部２０３（無線送信手段）に出力して発光させる制御部２０１、および、制御部２０１から入力される信号に従って発光する赤外ＬＥＤ等を備えた発光部２０３を備える。
【００２７】
ここで、リモコン装置２が備える位置検出回路２０の回路構成について、詳細に説明する。
図６は、位置検出回路２０の構成を詳細に示す図である。なお、この図６には、センサ基板２１３（図３）に配設されたループコイル群２４１、２４２、および、操作突起２３（図４）が内蔵する操作側回路２３４を図示する。
【００２８】
位置検出回路２０は、センサ基板２１３に配設されたループコイル群２４１、２４２に接続される。
センサ基板２１３においては、リモコン装置本体２１の上面に設けられた略矩形の穴の横方向及び縦方向に対応して、Ｘ軸及びＹ軸からなるＸ−Ｙ直交座標系が仮想的に設定され、このＸ−Ｙ直交座標系に対応してループコイル群２４１、２４２が配設される。
ループコイル群２４１は、上記Ｙ方向に延びる複数のループコイルを上記Ｘ方向に沿って並べたものであり、ループコイル群２４２は、上記Ｘ方向に延びる複数のループコイルを上記Ｙ方向に沿って並べたものである。ループコイル群２４１、２４２の各ループコイルは、導体からなる一または複数ターンのコイルであって、例えば、センサ基板２１３（図３）にエッチング等の手法により配設される。
【００２９】
位置検出回路２０は、ループコイル群２４１、２４２の中から１のループコイルを選択する選択回路２５２と、選択回路２５２により選択されたループコイルに対して発振信号を送出する送信モード、及び、選択回路２５２により選択されたループコイルによって信号を受信する受信モードを切り換える送受切替回路２５３を備える。
また、位置検出回路２０は、位置検出回路２０の各部を制御する制御回路２５１と、送受切替回路２５３から出力された信号を増幅する増幅回路２５４と、増幅回路２５４により増幅された信号について、所定周波数帯域の信号成分のみを通過させるＢＰＦ（帯域通過フィルタ）２５５と、ＢＰＦ２５５を通過した信号成分を電圧値に変換する検波回路２５６と、この電圧値を所定時間保持するサンプルホールド回路２５７と、サンプルホールド回路２５７に保持された電圧値をデジタルデータに変換して制御回路２５１に出力するＡ／Ｄ変換回路２５８と、制御回路２５１の制御に従って所定周波数の発振信号を生成する信号発生回路２５９と、信号発生回路２５９により生成された発振信号を増幅して送受切替回路２５３に出力する増幅回路２６０と、を備える。
【００３０】
また、リモコン装置２の操作突起２３に内蔵される操作側回路２３４は、図６に示すように、コイル２３５と、このコイル２３５に並列に接続されたコンデンサ２３７と、これらコイル２３５およびコンデンサ２３７に接続されたＩＣ２３８とを備えて構成される。
【００３１】
この位置検出回路２０により、位置入力操作部２２における位置入力操作が次のように検出される。
まず、制御回路２５１が、選択回路２５２を制御してループコイル群２４１、２４２の中から一のループコイルを選択させるとともに、送受切替回路２５３を制御して、動作モードを送信モードに切り換えさせる。
続いて、制御回路２５１は、信号発生回路２５９を制御して所定周波数の発振信号を生成させる。この発振信号は、増幅回路２６０により増幅されて送受切替回路２５３を介して選択回路２５２に入力され、選択回路２５２により選択されているループコイルから、操作突起２３の操作側回路２３４へ送信される。
【００３２】
ここで、操作側回路２３４においては、センサ基板２１３のループコイルから送信された発振信号によりコイル２３５に誘導電流が流れ、ＩＣ２３８が動作を開始する。ＩＣ２３８は、コイル２３５およびコンデンサ２３７に対して所定周波数の発振信号を生成し、この発振信号をコイル２３５からセンサ基板２１３へ送信させる。
【００３３】
一方、位置検出回路２０の制御回路２５１は、上記送信モードの動作を所定時間継続した後に、送受切替回路２５３を制御して動作モードを受信モードに切り換える。この切り換えによって、信号発生回路２５９からの発振信号が選択回路２５２に出力されなくなる。
上記受信モードにおいては、ＩＣ２３８の動作によりコイル２３５から送信された発振信号が、選択回路２５２により選択されているループコイルにより受信され、増幅回路２５４によって増幅された後、ＢＰＦ２５５によって所定周波数帯域の成分のみが検波回路２５６に出力される。この信号成分は検波回路２５６によって電圧値に変換され、サンプルホールド回路２５７に保持される。サンプルホールド回路２５７に保持された電圧値は、所定時間毎にＡ／Ｄ変換回路２５８によってデジタルデータに変換されて制御回路２５１へ出力される。
【００３４】
そして、制御回路２５１は、選択回路２５２によってループコイル群２４１、２４２のループコイルを順次選択させながら、Ａ／Ｄ変換回路２５８から入力されるデジタルデータを演算処理することにより、操作突起２３に近いループコイルを特定して、指示された位置の座標を求める。
【００３５】
また、ＩＣ２３８は、コイル２３５に誘導電流が流れる間、タクトスイッチ２４０（図４）の操作状態（ＯＮ／ＯＦＦ）を検出し、この操作状態に応じて、コイル２３５およびコンデンサ２３７に対する発振信号の送出タイミングや送出時間を変化させる。この送出タイミングや送出時間の変化は、サンプルホールド回路２５７に保持された電圧値をＡ／Ｄ変換回路２５８によってデジタルデータに変換する際に反映される。そして、制御回路２５１は、Ａ／Ｄ変換回路２５８から入力されるデジタルデータを演算処理することにより、タクトスイッチ２４０の操作状態を取得する。
その後、制御回路２５１は、センサ基板２１３に対する操作突起２３の位置、タクトスイッチ２４０の操作状態を示す操作信号を生成し、制御部２０１（図５）に出力する。
これにより、リモコン装置２の位置検出回路２０によって、位置入力操作部２２における操作突起２３の位置が検出され、この位置に対応した信号が発光部２０３に入力される。
ここで、位置検出回路２０は、センサ基板２１３に配設されたループコイル群２４１、２４２のうち、操作突起２３に近いループコイルを特定することにより、操作突起２３の位置を検出する。このため、位置検出回路２０は、操作突起２３の位置を、ループコイル群２４１、２４２が配設された領域における絶対位置として制御部２０１に出力することが可能である。
【００３６】
また、図５に示すテレビ受像器３は、上記した表示画面３５の他、表示画面３５に表示する映像の制御等を実行する制御部３１、制御部３１により実行される各種プログラム及びデータを格納したＲＯＭ３２、リモコン装置２、或いはその他の赤外線式リモコン装置（図示略）から送信される赤外線信号を受光して復号し、制御部３１に出力する受光部３３、制御部３１の制御に従って表示画面３５に映像信号を出力する映像信号生成部３４、及び、外部接続されたアンテナから入力される放送信号に基づいて映像信号を生成するチューナー部３６を備える。
【００３７】
制御部３１は、ＲＯＭ３２に格納されたプログラム及びデータを読み出して実行し、受光部３３から入力される信号に基づいて、映像信号生成部３４を制御し、所定の映像を表示画面３５に表示させる。制御部３１は、例えば、受光部３３から入力された信号がチャンネルの切り替えを指示する信号であった場合、映像信号生成部３４を制御して、指定されたチャンネルの放送信号から映像信号を生成させ、表示画面３５に出力させる。また、制御部３１は、受光部３３から入力される信号がメニュー画面の表示を指示する信号であった場合、映像信号生成部３４に対してメニュー画面を表示するための表示情報を出力し、表示画面３５に、メニュー項目（図示略）或いはアイコン（図示略）を含むメニュー画面を表示させる。そして、表示画面３５にメニュー画面が表示された状態で、受光部３３から、メニュー画面に対する操作（メニュー画面中の項目の選択等）に対応する信号が入力された場合、制御部３１は、この操作に対応して新たなメニュー画面を表示させ、或いは、特定のチャンネルの映像を表示させる等の動作を実行する。
また、テレビ受像器３が備える映像信号生成部３４は、コンピュータ本体４から画面を表示するための信号が入力された場合に、この信号に基づいて表示情報を生成して表示画面３５に出力し、表示画面３５に、コンピュータ本体４の画面を表示させる。
【００３８】
コンピュータ本体４は、各種制御プログラムを実行することによりコンピュータ本体４の各部を制御するＣＰＵ（Central Processing Unit）４１（制御手段）と、ＣＰＵ４１により実行される制御プログラム等を記憶するＲＯＭ（Read Only Memory）４２と、ＣＰＵ４１により実行されるプログラムやデータ等を一時的に格納するワークエリアを形成するＲＡＭ（Random Access Memory）４３と、ＣＰＵ４１により実行される制御プログラム、アプリケーションプログラム、及び、これらプログラムに係るデータを記憶する記憶部４４とを備える。
また、コンピュータ本体４は、リモコン装置２が有する発光部２０３から発せられる赤外光を受光して復号し、リモコン装置２における操作内容を示す操作信号を生成する受光部４６（受信手段）と、この受光部４６により生成された操作信号を取得してＣＰＵ４１に出力する入力部４５と、コンピュータ本体４の外部の各種機器（図示略）や通信回線等に接続可能なＩ／Ｆ部４７と、ＣＰＵ４１により生成された画面表示用データを解析して、画面を表示するための信号を生成してテレビ受像器３に出力する表示部４８（表示手段）とを備える。上記の各部はバス４９により相互に接続される。
【００３９】
ＣＰＵ４１は、ＲＯＭ４２に記憶された基本制御プログラムを読み出して実行することにより、コンピュータ本体４の各部を制御するとともに、記憶部４４に記憶されたアプリケーションプログラムを読み出してＲＡＭ４３のワークエリアに展開して実行し、各種データの処理を行う。また、ＣＰＵ４１は、基本制御プログラム及びアプリケーションプログラムの実行中に、当該プログラムに係る画面を表示するための画面表示用データを生成して表示部４８に出力して、テレビ受像器３によって上記画面を表示させる。
また、ＣＰＵ４１は、リモコン装置２の位置検出回路２０により検出された位置を示す操作信号が入力部４５から入力された場合に、この操作情報と表示部４８に出力した画面表示用データとに基づいて、位置入力操作による指示内容を判別し、判別した指示内容に対応する動作を行う。
さらに、ＣＰＵ４１は、リモコン装置２が有するキースイッチ部２４のスイッチの操作状態を示す操作信号が入力部４５から入力された場合に、キースイッチ部２４の操作による指示内容を判別し、判別した指示内容に対応する動作を行う。
これにより、リモコン装置２によってコンピュータ本体４に対する位置入力操作を行うことが可能となる。
【００４０】
すなわち、コンピュータ本体４の動作中には、コンピュータ本体４により実行中のアプリケーションプログラムに係る画面がテレビ受像器３の表示画面３５に表示される。ここで、表示画面３５には、各種メニュー画面やＧＵＩ画面が表示され、さらに、図１に例示したようにポインタ３０Ａが表示される。この状態では、ポインタ３０Ａを任意の位置に移動させて、さらにスイッチ等を操作することにより、メニューの選択操作や、ＧＵＩにおけるアイコンの選択操作等を行うことができ、実質的に、コンピュータ本体４の殆どの機能について指示操作を行える。
すなわち、リモコン装置２が備える位置入力操作部２２において、操作突起２３を任意の位置に移動させることにより、操作突起２３の位置を示す信号がリモコン装置２からコンピュータ本体４に送信される。さらに、キースイッチ部２４のスイッチが操作されると、その操作状態を示す信号がリモコン装置２からコンピュータ本体４に送信される。これにより、リモコン装置２においては、位置入力操作部２２とキースイッチ部２４との操作により、コンピュータ本体４が表示画面３５に表示させたメニュー画面やＧＵＩに対する操作を行うことが可能になる。
【００４１】
そして、リモコン装置２が備える位置入力操作部２２は、リモコン装置本体２１を構成する表面板２１１と裏板２１２との間に、ループコイル群２４１、２４２を有するセンサ基板２１３と、平台座２３１とが重ねて配設され、この平台座２３１はセンサ基板２１３の面に沿ってスライド可能に配設される。この平台座２３１に立設された操作突起２３には操作側回路２３４が内蔵され、この操作側回路２３４とループコイル群２４１、２４２との間の電磁誘導作用により、操作突起２３の位置が検出される。従って、ユーザは、図１に符号Ａで示したようにリモコン装置２を手に持って、例えば親指で操作突起２３をスライドさせる操作を行うだけで、ポインタ３０Ａを任意の位置まで移動させることができる。この操作は、リモコン装置２を片手に持って行うことができるので、例えば、一般的なテレビ受像器により番組を視聴するような、リラックスした姿勢であっても容易に行うことができ、コンピュータ本体４の操作性を格段に向上させることができる。
【００４２】
また、リモコン装置２の操作時における操作突起２３の位置は、ループコイル群２４１、２４２が配設された領域における絶対位置として検出される。すなわち、検出される位置が操作突起２３の移動量に依存しないので、操作突起２３を移動可能な領域が制限されていたとしても、ポインタ３０Ａを表示画面３５上の任意の位置に移動させることができる。従って、操作突起２３の移動範囲が制限されていても快適に操作できるので、リモコン装置２を小型化しても何ら問題なく快適な操作性を実現できる。加えて、操作突起２３の移動速度に関係なく位置検出が行われるので、操作突起２３を移動させる操作に対する応答性は非常に良好なものとなる。
【００４３】
なお、上記第１の実施の形態においては、操作突起２３に操作側回路２３４が内蔵され、その下方に位置するセンサ基板２１３に、ループコイル群２４１、２４２が配設された構成としたが、本発明はこれに限定されるものではなく、例えば、平台座２３１にループコイル群２４１、２４２を設け、センサ基板２１３に、操作側回路２３４を構成する各部を設けた構成とすることも可能である。この場合、センサ基板２１３側に設けられたコイル２３５の位置を平台座２３１側で検出することになるが、コイル２３５の位置を基準として操作突起２３の位置を求めることは容易であるから、上記第１の実施の形態で説明した構成と同様の効果が得られる。
また、本第１の実施の形態においては、テレビ受像器に接続されたコンピュータ本体を操作するためのリモコン装置を例に挙げて説明したが、本発明はこれに限定されるものではなく、例えばパーソナルコンピュータを制御するリモコン装置に本発明を適用してもよい。さらに、テレビ受像器自体を操作するためのリモコン装置に本発明を適用してもよい。
さらにまた、リモコン装置２は、発光部２０３から赤外光を発することによってコンピュータ本体４に対して信号を送信するものとして説明したが、本発明はこれに限定されるものではなく、ＩＥＥＥ（Institute of Electrical and Electronic Engineers）８０２．１１規格やＢｌｕｅｔｏｏｔｈ規格に準じた無線通信方式等、比較的近距離において無線通信が可能な他の方式によって、リモコン装置２から信号を送信するようにしてもよい。
【００４４】
［第２の実施の形態］
図７は、本発明を適用した第２の実施の形態に係るリモコン装置２について、位置入力操作部２７の構成を特に示す要部断面図である。
この第２の実施の形態に係るリモコン装置２は、後述するボール支持部２１６を除いては上記第１の実施の形態に係るリモコン装置２と同様に構成されるため、共通する構成部については同符号を付して図示および説明を省略する。
【００４５】
図７に示す位置入力操作部２７は、上記第１の実施の形態に係る位置入力操作部２２に代えて用いられる位置入力装置である。この位置入力操作部２７は、センサ基板２１３と平台座２３１との間に、位置入力操作部２２が有する摩擦材２１４に代えてボール支持部２１６を設けた構成となっている。
ボール支持部２１６（転動支持部）は、複数の球体を並べた構成を有し、このボール支持部２１６を介してセンサ基板２１３に接する平台座２３１は、軽い力で滑らかにスライドさせることができる。つまり、この構成によれば、上記第１の実施の形態に比べて、操作突起２３を軽い力で滑らかに移動させることができ、軽快な操作感を実現できるという利点がある。
【００４６】
なお、この第２の実施の形態において、ボール支持部２１６に代えて、複数の円柱部材を並べて配設したローラ部を設けてもよい。この場合も、円柱部材が介在することで平台座２３１がセンサ基板２１３との間に過度の摩擦を生じることなく滑らかに移動可能となり、快適な操作性を実現できる。
【００４７】
［第３の実施の形態］
図８は、本発明を適用した第２の実施の形態に係るリモコン装置２について、位置入力操作部２８の構成を特に示す要部断面図である。
この第２の実施の形態に係るリモコン装置２は、後述する操作側回路２３４を除いては上記第１の実施の形態に係るリモコン装置２と同様に構成されるため、共通する構成部については同符号を付して図示および説明を省略する。
【００４８】
図８に示す位置入力操作部２８は、上記第１の実施の形態に係る位置入力操作部２２に代えて用いられる位置入力装置である。この位置入力操作部２８は、ユーザの指が接する接触面２３３に代えて、突起接触面２３３Ａを設けた構成となっている。
接触面２３３Ａは、上方に凹となる屈曲面に複数の突起を設けた構成となっている。これらの突起は、ユーザの指に負担を与えないよう、可撓性を有する材料からなり、さらに先端部は曲面となっている。
この構成によれば、接触面２３３Ａに接したユーザの指が滑りにくい。このため、上記第１の実施の形態に比べて、操作突起２３を確実に移動させることができる上、指が滑りにくいことによって操作が安定するように感じられるという利点がある。
【００４９】
［第４の実施の形態］
図９は、本発明を適用した第４の実施の形態に係るリモコン装置２について、位置入力操作部２９の構成を特に示す要部断面図であり、図１０は要部平面図である。
この第４の実施の形態に係るリモコン装置２は、後述するワイヤ２１７を除いては上記第３の実施の形態に係るリモコン装置２と同様に構成されるため、共通する構成部については同符号を付して図示および説明を省略する。
【００５０】
図９および図１０に示す位置入力操作部２９は、上記第３の実施の形態に係る位置入力操作部２８に代えて用いられる位置入力装置である。
この位置入力操作部２９は、平台座２３１を設けず、操作突起２３を、ワイヤ２１７を介してスライド支持部材２１８、２１９によって支持する構成となっている。ここで、ワイヤ２１７およびスライド支持部材２１８、２１９は支持機構を構成する。
【００５１】
図１０に示すように、位置入力操作部２９には、その長手方向に沿って溝が形成された棒状部材であるスライド支持部材２１８、２１９が配設される。
スライド支持部材２１９は、リモコン装置２の長手方向に沿って位置入力操作部２９の両側端部に各々配設され、スライド支持部材２１８は、スライド支持部材２１９とは直交する向きに、位置入力操作部２９の前端部および後端部に各々配設される。隣接するスライド支持部材２１８、２１９の端部は接合または連結され、あるいは接触しているので、これら２本のスライド支持部材２１８と２本のスライド支持部材２１９とによって、位置入力操作部２９を囲む四角形の枠が形成される。
【００５２】
そして、スライド支持部材２１８、２１９からなる枠の内側に、操作突起２３がワイヤ２１７によって懸架される。図１０に示すように、位置入力操作部２９には、２本ずつ組となったワイヤ２１７が二組、計４本配設される。このうち一組のワイヤ２１７は、２本のスライド支持部材２１８に跨って配設され、もう一組のワイヤ２１７は、２本のスライド支持部材２１９に跨って配設される。
上述のように、スライド支持部材２１８、２１９には、その長手方向に延びる溝が形成されていて、この溝は上述した枠の内側に向いて開口する。この溝にワイヤ２１７の端部が収容され、二組のワイヤ２１７は、それぞれスライド支持部材２１８、２１９の溝に沿ってスライド移動可能である。また、二組のワイヤ２１７はいずれも操作突起２３の軸部２３２に穿設された貫通孔２３２Ａを貫通し、軸部２３２は二組のワイヤ２１７が直交する交点となっている。また、貫通孔２３２Ａとワイヤ２１７とは固定されておらず、摺動自在である。
【００５３】
この構成によれば、ワイヤ２１７とスライド支持部材２１８、ワイヤ２１７とスライド支持部材２１９、および、ワイヤ２１７と軸部２３２とが摺動自在である。このため、操作突起２３は、センサ基板２１８の表面に沿って、スライド支持部材２１８の長手方向、および、この方向に直交するスライド支持部材２１９の長手方向に自在に移動可能に支持されている。従って、操作突起２３は、センサ基板２１８の表面に沿って自在に移動可能である。このとき、ワイヤ２１７は、貫通孔２３２Ａ内を摺動しながらスライド支持部材２１８またはスライド支持部材２１９に沿ってスライド移動するので、操作突起２３の移動を全く妨げない。
また、操作突起２３は、ワイヤ２１７により、センサ基板２１３の表面から所定の距離だけ浮いた高さ位置で支持されているので、軸部２３２の下面とセンサ基板２１３の表面との間の摩擦が生じない。このため、操作突起２３を、小さな力で容易に任意の位置へ移動させることが可能である。
従って、本第４の実施の形態によれば、上述した第１から第３の実施形態と同様の効果が得られる。また、位置入力操作部２９は、操作突起２３がワイヤ２１７により懸架された単純な構成となっているので、より低コストで容易に実現可能である。
【００５４】
上記構成において、ワイヤ２１７の太さおよび材料については任意に変更可能であり、ユーザの操作がない状態において操作突起２３をセンサ基板２１３の上方で支持可能な程度の剛性を有するものであればよく、その数についても任意である。また、ワイヤ２１７に代えて、操作突起２３をスライド支持部材２１８、２１９により支持させる作用を有するもの、例えば金属または樹脂製の棒体等を用いることも可能である。
【００５５】
なお、本発明は、上記各実施の形態で説明したようにコンピュータ本体４を遠隔操作する場合に限定されず、位置入力操作部２２を操作対象の機器と一体に設けた構成としてもよい。この場合について、以下、第５〜第７の実施の形態として説明する。
【００５６】
［第５の実施の形態］
図１１は、本発明を適用した第５の実施の形態に係る電子機器としての携帯型電子機器５１の構成を示す図である。
携帯型電子機器５１は、ＰＤＡ（Personal Digital Assistant）等と呼ばれる携帯型の電子機器であって、スケジュール管理機能、通信機能等の各種機能を有する。携帯型電子機器５１は、液晶表示パネル等からなる表示画面５１１を有し、上記機能に係る文字や画像等を表示画面５１１上に表示させる。また、携帯型電子機器５１はＧＵＩ入力環境を備え、表示画面５１１上に表示されるポインタ５１１Ａの位置を指定する入力を行うことにより、上記機能の実行や切り替えを指示できる。
【００５７】
携帯型電子機器５１は、位置入力操作を行えるよう、上述した位置入力操作部２２を有する。この位置検出部２２は、上記第１の実施の形態で説明したように、ユーザの指により操作される操作突起２３を備え、この操作突起２３を移動させることで、位置入力操作を行えるようになっている。さらに、位置入力操作部２２に隣接してキースイッチ部２４が設けられており、このキースイッチ部２４におけるスイッチ操作が可能となっている。
【００５８】
従って、図１１に示す携帯型電子機器５１においては、上述した第１の実施の形態に係るリモコン装置２と同様に位置入力操作を行い、かつ、スイッチ操作を行うことができる。携帯型電子機器５１が軽量かつ小型に構成されたものである場合、片手で持って操作できることが望ましい。このような携帯型電子機器５１において位置入力操作部２２を設けることで、図１１に示すように、片手で携帯型電子機器５１の本体を支持しつつ、その手で位置入力操作を行うことができる。これにより、携帯型電子機器５１の操作時に両手が塞がってしまうことがないので、立った姿勢であっても容易に使うことができ、携帯型電子機器５１の利便性を高めることができる。
【００５９】
［第６の実施の形態］
図１２は、本発明を適用した第６の実施の形態に係る電子機器としての携帯電話機５２の構成を示す図である。
携帯電話機５２は、携帯型の電話機であって、図示しない基地局との間における無線通信を実行することにより、通話相手先の機器との間において通信回線を確立し、通話機能等を実現するものである。携帯電話機５２は、通話相手先の電話番号等を表示する表示画面５２１と、電話番号の入力操作や電源のＯＮ／ＯＦＦ等を行うための各種キーを有するキー操作部５２２を備える。
【００６０】
さらに、携帯電話機５２は、表示画面５２１に表示された領域における位置を指定するため、位置入力操作部２２を有する。この位置検出部２２は、上記第１の実施の形態で説明したように、ユーザの指により操作される操作突起２３を備え、この操作突起２３を移動させることで、位置入力操作を行えるようになっている。さらに、位置入力操作部２２に隣接してキースイッチ部２４が設けられており、このキースイッチ部２４におけるスイッチ操作が可能となっている。
【００６１】
そして、携帯電話機５２は、通話機能の他、アドレス帳管理機能等の各種機能を実行することも可能であり、これら機能の実行を指示するためのＧＵＩ入力環境を備える。表示画面５２１には、通話機能を含む各種機能に係るメニュー項目やアイコン（文字や画像等）が表示され、表示画面５２１上に表示されるカーソルやポインタの位置を指定する位置入力操作を行うことにより、上記機能の実行や切り替えを指示できる。
このカーソルやポインタの位置を指定する位置入力操作は、キー操作部５２２が備えるキーを押下して行うことも可能であるが、携帯電話機５２においては、位置入力操作部２２上で操作突起２３を移動させることで、位置入力操作を行える。また、携帯電話機５２においては、操作突起２３を移動させる操作と組み合わせて、キースイッチ部２４のスイッチを操作できる。
【００６２】
従って、図１２に示す携帯電話機５２においては、上述した第１の実施の形態に係るリモコン装置２と同様に位置入力操作を行い、かつ、スイッチ操作を行うことができる。携帯電話機５２は、通常、片手で持って操作される。ここで、位置入力操作部２２の位置は、図１２に示すように携帯電話機５２をユーザが片手に持った場合において、その指（図１２の例では親指）で操作突起２３を操作できる範囲に配設され、片手で携帯電話機５２を持ちつつ、その手で位置入力操作を行うことができる。これにより、ユーザが立った状態等の不安定な姿勢であっても確実に位置入力操作を行うことができる。また、キー操作部５２２のキーにより位置入力操作を行う場合、キーを何度も押下しなければならず、ユーザの手指の負担が大きく、かつ、素早く操作を行うことが難しい。これに対し、本第６の実施の形態に係る携帯電話機５２は、位置入力操作部２２において操作突起２３を移動させるだけで位置入力操作を行えるので、極めて素早く、快適に位置入力操作を行うことができ、さらにユーザの手指への負担が非常に軽いという利点がある。
【００６３】
なお、携帯電話機５２は、携帯可能なサイズ及び形状を有し、少なくとも通話機能と表示画面とを有するものであれば良く、その通信方式等は任意である。また、携帯電話機５２の筐体の形状は、図１２に示すような、いわゆるストレート型に限定されず、折り畳み型としてもよい。
【００６４】
［第７の実施の形態］
図１３は、本発明を適用した第７の実施の形態に係る電子機器としてのノート型コンピュータ５３の構成を示す図である。
ノート型コンピュータ５３は、携帯可能に構成されたパーソナルコンピュータであって、ＣＰＵ、ＲＯＭ、ＲＡＭ等が実装された主基板、及び、ハードディスクドライブ等の機器を本体に内蔵するとともに、液晶表示パネル等からなる表示画面５３１が配設される。
また、ノート型コンピュータ５３は、入力操作を行うためのキーボード５３２と、位置入力操作部２２およびキースイッチ部２４が設けられる。
【００６５】
キーボード５３２は、複数のキーを備え、これらキーの押下操作により入力を行うものである。
また、位置入力操作部２２は、上記第１の実施の形態で説明したように、ユーザの指により操作される操作突起２３を備え、この操作突起２３を移動させることで、位置入力操作を行えるようになっている。さらに、位置入力操作部２２に隣接してキースイッチ部２４が設けられており、このキースイッチ部２４におけるスイッチ操作が可能となっている。
【００６６】
そして、ノート型コンピュータ５３は、各種アプリケーションプログラムを実行することによって種々の機能を実行可能であり、これらの機能の実行を指示するためのＧＵＩ入力環境を備える。表示画面５３１には、上記各種機能に係るアイコン（文字や画像等）が表示され、表示画面５３１上に表示されるカーソルやポインタの位置を指定する位置入力操作を行うことにより、上記機能の実行や切り替えを指示できる。このカーソルやポインタの位置を指定する位置入力操作は、キーボード５３２により可能であるが、ノート型コンピュータ５３においては、位置入力操作部２２において操作突起２３を移動させることで、位置入力操作を行える。
【００６７】
図１３に示すように、位置入力操作部２２は、ノート型コンピュータ５３の筐体を片手で持った場合に、ユーザの親指が操作突起２３に届くよう配設され、ユーザは、ノート型コンピュータ５３を片手に持った状態で、その指で操作突起２３を移動させて位置入力操作を行うことができる。つまり、片手のみで、ノート型コンピュータ５３を保持したまま、位置入力操作を行うことができる。さらに、位置入力操作部２２における位置入力操作と組み合わせて、位置入力操作部２２の近傍に配設されたキースイッチ部２４におけるスイッチ操作を行うことも可能である。
【００６８】
従って、ノート型コンピュータ５３は、片手で持ったまま位置入力操作が可能であり、例えば、ユーザが立った状態等の不安定な姿勢であっても確実に操作できる上、位置入力操作部２２の操作突起２３を移動させるだけで位置入力操作を行えるので、極めて素早く快適に位置入力操作を行うことができ、さらにユーザの手指への負担が軽いという利点がある。
【００６９】
なお、上述した第１〜第７の各実施の形態は、本発明の一実施態様を示すものであり、本発明の範囲内で任意に変形及び応用可能であることは勿論である。
例えば、上記第１〜第７の実施の形態においては、位置入力操作部２２、２７、２８、２９は、いずれも操作突起２３を有するものとしたが、本発明はこれに限定されるものではなく、例えば、平台座２３１に操作側回路２３４を内蔵させて、リモコン装置本体２１の上面に露出する平台座２３１の面に、ユーザが視認可能な印を付けた構成としてもよい。この場合、平台座２３１に、滑り止めの機能を有する膜を設けてもよい。この構成では、平台座２３１の印を任意の位置に移動させる操作を行うことで、位置入力操作を行えるようになり、上記各実施の形態と同様の効果が得られる。また、操作突起２３の形状や高さについても任意である。
【００７０】
さらに、上記各実施の形態においては、操作側回路２３４のコイル２３５と、センサ基板２１３に配設されたループコイル群２４１、２４２との間の電磁的作用に基づいて、操作突起２３の位置を検出する構成としたが、本発明はこれに限定されず、例えば、静電容量方式により操作突起２３の位置を検出するようにしてもよい。すなわち、平台座２３１の特定の位置において、その下面または内部に導体片を設け、センサ基板２１３には互いに絶縁された複数の導線を敷設した構成とし、これら導線間の静電容量の変化を検出することで、操作突起２３の位置を検出することも可能である。この場合、導体片は、操作突起２３の下面、すなわちセンサ基板２１３に対向する面に先細の突起として突出する構成とし、その突出した導体片がセンサ基板２１３に接するようにすれば、センサ基板２１３において導体片の位置が検出されるので、高い精度で位置入力操作を行うことができる。ここで、導体片は露出している必要はなく、この導体片を樹脂等により覆った構成としてもよい。
また、操作突起２３に内蔵される操作側回路２３４を排し、押圧力に応じて電気抵抗値が変化する抵抗膜等をセンサ基板２１３に設けることにより、センサ基板２１３において押圧操作を検出するようにしてもよい。この場合、操作突起２３を押圧する操作が行われたときに、この押圧操作が行われた位置をセンサ基板２１３において検出することができる。この場合、操作突起２３の下面、すなわちセンサ基板２１３に対向する面に先細の突起を設けて、この突起の先端によりセンサ基板２１３を押圧するようにすれば、センサ基板２１３において当該突起の先端の位置が検出されるので、高い精度で位置入力操作を行うことができる。
これらのいずれも場合も、ユーザが片手で位置入力操作を行えるという点で、上記各実施の形態と同様の効果が得られる。
【図面の簡単な説明】
【００７１】
【図１】本発明を適用した第１の実施の形態に係るコンピュータシステムの概略構成を示す図である。
【図２】リモコン装置の構成を示す外観斜視図である。
【図３】リモコン装置が有する位置入力操作部の構成を示す要部断面図である。
【図４】位置入力操作部における操作突起の構成を示す要部断面図である。
【図５】コンピュータシステムの機能的構成を示すブロック図である。
【図６】リモコン装置が有する位置検出回路の構成を示す図である。
【図７】本発明を適用した第２の実施の形態に係る位置入力操作部の構成を示す要部断面図である。
【図８】本発明を適用した第３の実施の形態に係る位置入力操作部の構成を示す要部断面図である。
【図９】本発明を適用した第４の実施の形態に係る位置入力操作部の構成を示す要部断面図である。
【図１０】図９の位置入力操作部の構成を示す要部平面図である。
【図１１】本発明を適用した第５の実施の形態に係る携帯型電子機器の構成を示す図である。
【図１２】本発明を適用した第６の実施の形態に係る携帯電話機の構成を示す図である。
【図１３】本発明を適用した第７の実施の形態に係るノート型コンピュータの構成を示す図である。
【符号の説明】
【００７２】
１  コンピュータシステム
２  リモコン装置
３  テレビ受像器
４  コンピュータ本体（コンピュータ）
２０  位置検出回路（位置検出手段）
２１  リモコン装置本体（本体）
２２、２７、２８、２９  位置入力操作部（位置入力装置）
２３  操作突起（操作突起部）
２４  キースイッチ部
３０Ａ  ポインタ
４１  ＣＰＵ（制御手段）
４２  ＲＯＭ
４３  ＲＡＭ
４４  記憶部
４５  入力部
４６  受光部（受信手段）
４７  Ｉ／Ｆ部
４８  表示部（表示手段）
５１  携帯型電子機器（電子機器）
５２  携帯電話機（電子機器）
５３  ノート型コンピュータ（電子機器）
２０１  制御部
２０２  キー操作検出部
２０３  発光部（無線送信部）
２１１  表面板
２１２  裏板
２１３  センサ基板（センス部）
２１４  摩擦材（摩擦層）
２１６  ボール支持部（転動支持部）
２１７  ワイヤ（支持機構）
２１８、２１９  スライド支持部材（支持機構）
２３１  平台座（平板部）
２３２  軸部
２３３、２３３Ａ  接触面
２３４  操作側回路
２３５  コイル
２３６  フェライトコア
２３７  コンデンサ
２３８  ＩＣ
２３９  スペーサ
２４０  タクトスイッチ
２４１、２４２  ループコイル群
５１１、５２１、５３１  表示画面
【図１】
2007200188.tif 000003
【図２】
2007200188.tif 000004
【図３】
2007200188.tif 000005
【図４】
2007200188.tif 000006
【図５】
2007200188.tif 000007
【図６】
2007200188.tif 000008
【図７】
2007200188.tif 000009
【図８】
2007200188.tif 000010
【図９】
2007200188.tif 000011
【図１０】
2007200188.tif 000012
【図１１】
2007200188.tif 000013
【図１２】
2007200188.tif 000014
【図１３】
2007200188.tif 000015